(57)【要約】【課題】車などの走行でカタカタといった音を発することが無く、かつ車の走行でグレーチングが跳ね上がるといった懸念の無い、グレーチングが設けられたコンクリート製品を提供する。【解決手段】グレーチング２を設ける開口部３を有するコンクリート製品本体１と、その開口部３の下方内壁部５に設けられた係合部材９と、前記開口部３に開閉可能に設置されると共に、前記係合部材９に係合する係合部材１３を備えるグレーチング２とを備えてなる。【選択図】        図１
2004293106.tif 000002
【特許請求の範囲】
【請求項１】
グレーチングを設ける開口部を有するコンクリート製品本体と、その開口部の下方内壁部に設けられた係合部材と、前記開口部に開閉可能に設置されると共に、前記係合部材に係合する係合部材を備えるグレーチングとを備えてなることを特徴とするコンクリート製品。
【請求項２】
コンクリート製品本体側の係合部材が、壁部に埋め込まれ、内壁面に向けて開口するとともに内部にめねじが形成された埋設部材と、この埋設部材に螺合して取付けられた係合具よりなる請求項１に記載のコンクリート製品。
【請求項３】
グレーチング側の係合部材が、グレーチングの底部にブラケットを介して進退可能又は回動可能に取付けられた金具よりなる請求項１又は２に記載のコンクリート製品。
【発明の詳細な説明】
【０００１】
【発明の属する技術分野】
本発明は、コンクリート製品に関し、詳細には道路等に設置され、上部開口部にグレーチングが設けられた側溝、暗渠及び集水ますなどのグレーチングが設けられたコンクリート製品に関するものである。
【０００２】
【従来の技術】
一般道路、高速道路等を問わず、通常、道路等の側方には雨水を排水するためにコンクリート製の側溝、あるいは暗渠や集水ますなどが設けられている。これらコンクリート製の側溝、暗渠、集水ますなどは規模の大きなものは、地面に溝を掘削後に型枠を形成し、コンクリートを打設して施工されるが、比較的規模の小さなものは、近年、ミニショベルカーが汎用されるようになり、幅１ｍ程度の溝を精度良く掘削できるようになったこともあって工場でコンクリート製品として製造し、その後に施工現場に運搬して施工されることが多くなった。
【０００３】
一方、上記コンクリート製品は、規模が比較的小さくなったものとはいえ重量物でもあるため、その運搬にロープを巻き付けただけの玉掛けではロープがずれたり外れるおそれがあり、安全上の問題が懸念される。そこで、工場でコンクリート製品を打設して製造する際に特開２０００−２２９３１７号公報（特許文献１）に記載されているようなコンクリート埋設孔開け具なるものの提案がなされている。この孔開け具を埋設しそこに吊上治具を設け、その吊上治具を介して吊上げることで安全な運搬が期待される。
【０００４】
【特許文献１】
特開２０００−２２９３１７号公報（段落００１７、図５、６）
【０００５】
【発明が解決しようとする課題】
上記のように側溝、暗渠及び集水ますなどを工場でコンクリート製品として製造し、その後に施工現場に運搬して施工する場合、雨水などが流入する上部開口部に取付けられるグレーチングは、コンクリート製品とは別に製造され、コンクリート製品の施工後に、その開口部に形成されたグレーチング受部に落とし込んで取付けられる。
【０００６】
上記コンクリート製品においては、グレーチングの取付けが受部へ落とし込むだけであるため着脱が容易であり、コンクリート製品内にごみが詰まっている場合に清掃などが容易である利点を有するが、グレーチングを受部に落とし込んだだけではグレーチングと受部の間にかなりの隙間があるため、グレーチング上を自転車や自動車などの車が走行したり、人が通ってもカタカタと音を発することがあり、特に住宅街においてはこの音が耳障りで問題となる。また車の走行ではグレーチングが跳ね上がる危険が懸念される。
【０００７】
本発明は、上記の如き問題を解消するためになしたものであって、その目的は、車などの走行でカタカタといった音を発することが無く、かつ車の走行でグレーチングが跳ね上がるといった懸念の無い、グレーチングが設けられたコンクリート製品を提供するものである。
【０００８】
【課題を解決するための手段】
上記の目的を達成するために、本発明（請求項１）に係るコンクリート製品は、グレーチングを設ける開口部を有するコンクリート製品本体と、その開口部の下方内壁部に設けられた係合部材と、前記開口部に開閉可能に設置されると共に、前記係合部材に係合する係合部材を備えるグレーチングとを備えてなるものである。
【０００９】
上記の構成では、コンクリート製品本体の受部に落とし込まれたグレーチングは、コンクリート製品本体の開口部の下方内壁部に設けられた係合部材とグレーチングに設けられた係合部材とを係合させることができるので、コンクリート製品本体に対してグレーチングを固定でき、コンクリート製品の施工後に、その上を車などが走行してもカタカタといった音を発することが無い。また車の走行でグレーチングが跳ね上がるといった懸念も無い。また更に、コンクリート製品本体とグレーチングとは、別々に施工現場へ運搬し施工現場でコンクリート製品本体の開口部に係合部材を介在させてグレーチングを設けコンクリート製品とした後で埋設することもできるし、あるいはコンクリート製品の製造現場や建材屋で、予めコンクリート製品本体の開口部に係合部材を介在させてグレーチングを設けコンクリート製品とした後で運搬、埋設することもでき、側溝、暗渠、集水ますなどのグレーチングが設けられたコンクリート製品の施工作業の改善が期待できる。
【００１０】
そして、上記コンクリート製品において、コンクリート製品本体側の係合部材は、特に限定するものではないが、コンクリート製品本体の壁部に埋め込まれ、内壁面に向けて開口を有する管材よりなる係合部材であってもよいし、あるいは壁部に埋め込まれ、内壁面に向けて開口するとともに内部にめねじが形成された埋設部材と、この埋設部材に螺合して取付けられた係合具よりなる係合部材であってもよい（請求項２）。
【００１１】
また、上記コンクリート製品において、グレーチング側の係合部材も、特に限定するものではないが、グレーチングの底部にブラケットを介して進退可能又は回動可能に取付けられた金具よりなる係合部材であってもよい（請求項３）。
【００１２】
【発明の実施の形態】
以下、本発明の実施形態を図面に基づいて説明する。図１は、本発明に係るコンクリート製品の説明図であって、ａは全体斜視図、ｂはａのＡ矢視図、ｃはｂのＢ−Ｂ断面図、図２は、図１のＣ部の拡大断面説明図、図３は、図２のＤ−Ｄ断面図である。図において、１はコンクリート製品本体、２はグレーチングを示す。
【００１３】
コンクリート製品本体１は、本例では側溝（Ｕ字溝）を例としたものであって、常法により型枠を製作し、その型枠内にコンクリートを打設して製造される。コンクリート製品本体１の上部開口部３の両側はグレーチング２を落とし込んで設けるための受部４が形成されている。そして、その受部４の下方に当たる位置の壁部５には、内壁面に向けて開口し、内部にめねじが形成された埋設部材６が埋設されている。また、その埋設部材６には、先端におねじを有し、頭部７が直方体に形成されたＴの字状の係合具８が、頭部７を内壁面に突き出して取付けられ、この係合具８と埋設部材６によりコンクリート製品本体１側の係合部材９が構成されている。なお、埋設部材６は、樹脂製や金属製の何れであってもよいし、あるいは特許文献１に提案されているようなコンクリート埋設孔開け具なども用いることができる。
【００１４】
グレーチング２は、平鋼からなる主部材１０を幅方向を上下にして所定間隔に配設し、その長手方向両端にエンドプレート１１を溶接固定し、更に主部材１０に交差させてスクリューバーからなる横部材１２を主部材１０同様に所定間隔に配設するとともに、その横部材１２をプロジェクション溶接により主部材１０の間に押し込むように且つ面一となるように溶接して製造されたものである。そして、前後のエンドプレート１１と左右端の主部材１０とにより外枠が構成されている。
【００１５】
上記グレーチング２の四隅近傍の底面には、主部材１０、１０間に跨ってグレーチング２側の係合部材１３がベース部１４を溶接して設けられている。この係合部材１３は、主部材１０に溶接固定されたベース部１４を含めて断面四角形の角管形状に形成されたブラケット１５と、このブラケット１５に、コンクリート製品本体１の壁部５に向かって進退移動可能に設けられた棒鋼１６とにより構成されている。そして、棒材１６を壁部５に向かって押出すことで上記係合部材９の頭部７の下側と係合し、引き戻すことで係合が解除される。なお、この押引きは、例えば、棒材１６の中央部から後端部の上面に突起あるいは溝などを形成し、この突起又は溝に、グレーチング２の主部材１０、１０間より挿しいれた棒状の操作具１７などを係合させて行える。
【００１６】
上記構成からなる本発明に係るコンクリート製品は次の要領で組立てられる。
すなわち、コンクリート製品本体１の上部開口部３の受部４の下方に当たる位置の壁部５に埋設された埋設部材６に、頭部７を内壁面に突き出してＴの字状の係合具８を取付け、係合具８と埋設部材６によりコンクリート製品本体１側の係合部材９を構成する。次いで、コンクリート製品本体１の上部開口部３の受部４にグレーチング２を落とし込んで載置する。この後、グレーチング２の四隅近傍の底面に設けた係合部材１３の棒材１６を壁部５に向かって押出し前記係合部材９の頭部７の下側と係合させて、コンクリート製品本体１の上部開口部３の受部４にグレーチング２を設ける。
【００１７】
従って、上記構成のコンクリート製品では、コンクリート製品本体１の受部４に落とし込まれたグレーチング２は、コンクリート製品本体１側の係合部材９とグレーチング２側の係合部材１３とを係合させることができるので、コンクリート製品本体１に対してグレーチング２を固定でき、コンクリート製品の施工後に、その上を車などが走行してもカタカタといった音を発することが無い。また車の走行でグレーチングが跳ね上がるといった懸念も無い。また更に、コンクリート製品本体１とグレーチング２とは、別々に施工現場へ運搬し施工現場でコンクリート製品本体１の上部開口部３に係合部材９、１３を介在させてグレーチング２を設けコンクリート製品とした後で埋設することもできる。
【００１８】
なお、上記例では、係合部材９、１３を、コンクリート製品本体１の上部開口部３（グレーチング２）の四隅に設ける場合を例に説明したが、本発明はこれに限定されるものではなく、中央部の両側に１箇所ずつ、あるいは一方の側は中央部に１箇所他方の側は両端に１箇所ずつ設けてもよい。
【００１９】
また、上記例では、係合部材１３を棒材１６が壁部５に向かって進退するようにグレーチング２に設けた場合を例に説明したが、本発明はこれに限定されるものではなく、棒材１６が壁部５と平行する方向に進退するように設け、係合部材９と係合するように設けてあってもよい。
【００２０】
また、上記例では、コンクリート製品本体１側の係合部材９を、埋設部材６と係合具８を用いて係合具８の頭部７を内壁面に突き出して取付けた例を説明したが、本発明はこれに限定されるものではなく、例えば図４に示すように、コンクリート製品本体１の上部開口部３の受部４の下方に当たる位置の壁部５に、コンクリート打設時に管材１８を埋設するだけ、あるいは単に穴のみを形成するだけの構成とし、この管材１８内、あるいは穴内にグレーチング２の係合部材１３の棒材１６を進退させて係合するように構成してもよい。
【００２１】
【発明の効果】
以上説明したように、本発明に係るコンクリート製品によれば、コンクリート製品の施工後に、その上を車などが走行してもカタカタといった音を発することが無いし、また車の走行でグレーチングが跳ね上がるといった懸念も無い。また更に、コンクリート製品本体とグレーチングとは、別々に施工現場へ運搬し施工現場でコンクリート製品本体の開口部に係合部材を介在させてグレーチングを設けコンクリート製品とした後で埋設することもできるし、あるいはコンクリート製品の製造現場や建材屋で、予めコンクリート製品本体の開口部に係合部材を介在させてグレーチングを設けコンクリート製品とした後で運搬、埋設することもでき、側溝、暗渠、集水ますなどのグレーチングが設けられたコンクリート製品の施工作業性の向上が期待できる。
【図面の簡単な説明】
【図１】本発明に係るコンクリート製品の説明図であって、ａは全体斜視図、ｂはａのＡ矢視図、ｃはｂのＢ−Ｂ断面図である。
【図２】図１のＣ部の拡大断面説明図である。
【図３】図２のＤ−Ｄ断面図である。
【図４】本発明に係るコンクリート製品の別の実施形態の要部のみの断面説明図である。
【符号の説明】
１：コンクリート製品本体                      ２：グレーチング
３：開口部              ４：受部              ５：壁部
６：埋設部材            ７：頭部              ８：係合具
９：係合部材          １０：主部材          １１：エンドプレート
１２：横部材            １３：係合部材        １４：ベース部
１５：ブラケット        １６：棒鋼            １７：操作具
１８：管材
【図１】
2004293106.tif 000003
【図２】
2004293106.tif 000004
【図３】
2004293106.tif 000005
【図４】
2004293106.tif 000006